(57)【要約】【課題】部品間の組み替え作業を行なうことなく取付対象物に対する縦付け／横付けを簡単に切り換えることができる釣竿支持装置を提供する。【解決手段】本発明の一実施形態に係る釣竿支持装置１は、互いに略直交する縦フレーム６および横フレーム４と、縦フレーム６または横フレーム４のいずれか一方のフレーム６に設けられ、他方のフレーム４との間で取付対象物２０を挟持するクランプ部材１７と、縦フレーム６と横フレーム４とが略直交して接続する角部Ｐに鉛直方向に回動自在に取り付けられる釣竿保持部１２とを具備することを特徴とする。【選択図】図１
2011092127.tif 000002
【特許請求の範囲】
【請求項１】
釣竿を支持するために所定の取付対象物に対して着脱自在に取り付けられる釣竿支持装置において、
互いに略直交する縦フレームおよび横フレームと、
前記縦フレームまたは前記横フレームのいずれか一方のフレームに設けられ、他方のフレームとの間で前記取付対象物を挟持するクランプ部材と、
前記縦フレームと横フレームとが略直交して接続する角部に鉛直方向に回動自在に取り付けられる釣竿保持部と、
を具備することを特徴とする釣竿支持装置。
【請求項２】
前記釣竿保持部の回動角度を段階的に調整するための調整手段を備えることを特徴とする請求項１に記載の釣竿支持装置。
【請求項３】
取付対象物と対向する前記フレームの取り付け面には、円弧状の凹部が設けられることを特徴とする請求項１または請求項２に記載の釣竿支持装置。
【請求項４】
前記釣竿保持部には、該釣竿保持部に対して釣竿を保持させるための保持部材が設けられることを特徴とする請求項１ないし請求項３のいずれか１項に記載の釣竿支持装置。
【発明の詳細な説明】
【技術分野】
【０００１】
本発明は、釣竿を支持するために船縁等の所定の取付対象物に対して取り付け可能な釣竿支持装置に関する。
【背景技術】
【０００２】
従来から、船釣りをするときなど、釣竿を支持するために、釣竿支持装置を船縁等の所定の取付対象物に対して取り付けることが行なわれている。例えば、従来の船縁に取り付け可能な釣竿支持装置は、釣竿支持部を有するコの字状の基体を備えており、万力等のクランプ装置で基体を船縁に取り付け、魚のあたりを待つ間、釣竿支持部に釣竿を支持させている。
【０００３】
ところで、このような釣竿支持装置は、それを取り付けるべき取付対象物の形態や厚さ等の寸法によっては、その取り付けが困難となる場合がある。そのため、幅広いサイズや形態の取付対象物に対して釣竿支持装置を取り付けることができるように、例えば特許文献１では、船縁その他の部材を挟持するクランプ部材を基台の下側で縦横に組み替え可能に取り付けることができる構造を開示している。
【０００４】
そのような構造が図１０に示されている。図示のように、この釣竿支持装置は、竿を保持する基台１１０と、基台１１０の下側に取り付けられるクランプ部材１４０とを備えている。そして、図１０の（ａ）に示されるように、基台１１０の側板にクランプ部材１４０の第１挟持部１４１を当て且つ基台１１０の底板にクランプ部材１４０の連結部１４３の中間板１４３ｂの端面を当ててクランプ部材１４０の縦付け孔１４６（図１０の（ｂ）参照）と基台１１０の取り付け孔１１１（図１０の（ｂ）参照）とにボルト１５１を通して螺合すると、クランプ部材１４０が基台１１０に縦付けされる一方、図１０の（ｂ）に示されるように、基台１１０の側板に連結部１４３の側板１４３ａを当て且つ基台１１０の底板に連結部１４３の中間板１４３ｂを当ててクランプ部材１４０の横付け孔１４７と基台１１０の取り付け孔１１２とにボルト１５２を通して螺合すると、クランプ部材１４０が基台１１０に横付けされる。
【０００５】
したがって、この構造においては、クランプ部材１４０を縦付けすると、図１０の（ａ）に示されるように側部フランジがある船縁Ｅに釣竿保持具を固定できるため、船縁Ｅの厚みが大きいときでも釣竿支持装置の取り付けが可能になる。一方、クランプ部材１４０を横付けすると、図１０の（ｂ）に示されるように側部フランジのない船縁Ｅに釣竿支持装置を固定できる。
【先行技術文献】
【特許文献】
【０００６】
【特許文献１】実開平５−４８６７７号公報
【発明の概要】
【発明が解決しようとする課題】
【０００７】
このように、特許文献１に開示される釣竿支持装置は、クランプ部材１４０と基台１１０との取り付け方を変えることで縦付け／横付けを切り換えることができ、それにより、形態やサイズの異なる船縁Ｅに対して取り付けることができるが、取り付け方を変更するためにクランプ部材１４０を基台から取り外して組み替え、その後、ボルトを締め直すという煩雑な作業を必要とするため、その組み替えに手間がかかる。また、組み替え時に部品を紛失してしまう虞もある。
【０００８】
本発明は、前記事情に着目してなされたものであり、その目的とするところは、部品間の組み替え作業を行なうことなく取付対象物に対する縦付け／横付けを簡単に切り換えることができる釣竿支持装置を提供することにある。
【課題を解決するための手段】
【０００９】
前記課題を解決するために、請求項１に記載の発明は、釣竿を支持するために所定の取付対象物に対して着脱自在に取り付けられる釣竿支持装置において、互いに略直交する縦フレームおよび横フレームと、前記縦フレームまたは前記横フレームのいずれか一方のフレームに設けられ、他方のフレームとの間で前記取付対象物を挟持するクランプ部材と、前記縦フレームと横フレームとが略直交して接続する角部に鉛直方向に回動自在に取り付けられる釣竿保持部とを具備することを特徴とする。
【００１０】
この請求項１に記載の発明によれば、縦フレームと横フレームとが略直交して接続する角部に対して釣竿保持部が鉛直方向に回動自在に取り付けられているため、釣竿保持部を回動させるだけで該釣竿保持部をいずれのフレーム側領域にも位置させることができる。すなわち、縦フレームを垂直に且つ横フレームを水平に位置させてクランプ部材を上下方向に締め付ける縦付け形態で釣竿支持装置を取付対象物に取り付ける場合には、例えば、釣竿保持部を、鉛直方向に方向付けられる鉛直位置と、その鉛直位置から縦フレーム側へ向けて下方へ所定の角度だけ傾けられた位置との間で回動させることができ、一方、横フレームを垂直に且つ縦フレームを水平に位置させてクランプ部材を水平方向に締め付ける横付け形態で釣竿支持装置を取付対象物に取り付ける場合には、例えば、釣竿保持部を、鉛直方向に方向付けられる鉛直位置と、その鉛直位置から横フレーム側へ向けて下方へ所定の角度だけ傾けられた位置との間で回動させることができる。したがって、クランプ部材を用いて取付対象物に対するフレームの取り付け方向を縦／横で変更しても、それに伴なう煩雑な部品間の組み替え作業（釣竿保持部を一方のフレームから取り外して他方のフレームに置き換えるなどの組み替え作業）を行なわないで済む（したがって、組み替えに伴なう部品の紛失も回避できる）。すなわち、部品間の組み替え作業を行なうことなく取付対象物に対するフレームの縦付け／横付けを簡単に切り換えることができる。これは、特に、図９に示される従来の構造とは異なり、釣竿保持部をその取り付け位置で縦付け形態および横付け形態の両方に共用できるように縦フレームと横フレームとの角部に釣竿保持部が設けられていることにより可能となるものである。
【００１１】
また、請求項２に記載の発明は、請求項１に記載の発明において、前記釣竿保持部の回動角度を段階的に調整するための調整手段を更に備えることを特徴とする。
【００１２】
この請求項２に記載の発明によれば、請求項１に記載の発明と同様の作用効果が得られるとともに、フレームに対する釣竿保持部の回動角度を段階的に調整できるため、取付対象物に対する釣竿支持装置の取り付け状態や、釣竿の支持状況、あるいは、釣り状況（例えば、船の移動時や、仕掛け取付け時など）などに応じて良好な竿受け（竿保持）状態を実現できる。
【００１３】
また、請求項３に記載の発明は、請求項１または請求項２に記載の発明において、取付対象物と対向する前記フレームの取り付け面には、円弧状の凹部が設けられることを特徴とする。
【００１４】
この請求項３に記載の発明によれば、請求項１または請求項２に記載の発明と同様の作用効果が得られるとともに、円弧状の凹部の存在により、特に丸棒形状の取付対象物に対する取り付けにおいて、安定した強固な取り付け状態を実現できる。
【００１５】
また、請求項４に記載の発明は、請求項１ないし請求項３のいずれか１項に記載の発明において、前記釣竿保持部には、該釣竿保持部に対して釣竿を保持させるための保持部材が設けられることを特徴とする。
【００１６】
この請求項４に記載の発明によれば、請求項１ないし請求項３のいずれか１項に記載の発明と同様の作用効果が得られるとともに、保持部材によって、釣竿保持部からの釣竿の脱落（例えば、船の移動時に竿保持部から釣竿が外れること）を防止することができる。
【発明の効果】
【００１７】
本発明によれば、部品間の組み替え作業を行なうことなく取付対象物に対する縦付け／横付けを簡単に切り換えることができる釣竿支持装置を提供できる。
【図面の簡単な説明】
【００１８】
【図１】取付対象物に対して縦付けされた本発明の第１の実施形態に係る釣竿支持装置の概略側面図である。
【図２】図１の釣竿支持装置の正面図である。
【図３】取付対象物に対して横付けされた図１の釣竿支持装置の概略側面図である。
【図４】縦付け状態の図１の釣竿支持装置によって釣竿を支持する形態の一例を示す概略側面図であり、（ａ）は釣竿保持部を垂直に起こした状態の図、（ｂ）は釣竿保持部を斜めに寝かせた状態の図である。
【図５】釣竿保持部の回動角度を段階的に調整するためのボールプランジャ機構の概略図である。
【図６】取付対象物に対して縦付けされた本発明の第２の実施形態に係る釣竿支持装置の概略側面図である。
【図７】取付対象物に対して横付けされた図６の釣竿支持装置の概略側面図である。
【図８】保持部材を有する釣竿保持部の要部拡大斜視図である。
【図９】図８の変形例を示す要部拡大斜視図である。
【図１０】（ａ）は取付対象物に対して縦付けされた従来の釣竿支持装置の概略側面図、（ｂ）は取付対象物に対して横付けされた従来の釣竿支持装置の概略側面図である。
【発明を実施するための形態】
【００１９】
以下、添付図面を参照して、本発明の一実施形態について説明する。  
図１〜図５は本発明の第１の実施形態を示している。図１および図２に示されるように、本実施形態の釣竿支持装置１は、釣竿を支持するために船縁や手摺などの所定の取付対象物２０に対して取り付けられるように構成されており、互いに略直交する縦フレーム６と横フレーム４とを有し且つ所定の取付対象物２０に対して着脱自在に取り付け可能な基台２と、縦フレーム６または横フレーム４のいずれか一方のフレームに設けられ且つ他方のフレームとの間で取付対象物２０を挟持するクランプ部材１７とを備える。
【００２０】
特に、本実施形態において、基台２は、前述した縦フレーム６および横フレーム４と、縦フレーム６からこれと一体で略直角に延びるクランプ支持フレーム部１９とを具備した略コの字状に形成されており、クランプ支持フレーム部１９のネジ穴６ｂに螺着されたクランプ部材１７を取付対象物２０の方向に締め付けることで、クランプ部材１７と横フレーム４との間で取付対象物２０を挟持し、それにより、基台２を取付対象物２０に取り付け固定できるようになっている。なお、クランプ部材１７は、縦フレーム６と平行に延在するシャフト１７ａの下端に装着された操作レバー１７ｃを回転することで、シャフト１７ａの上端の押圧部１７ｂを横フレーム４に向けて進退させ、基台２を取付対象物２０に対して締め付けて取り付けることが可能となる。
【００２１】
なお、取付対象物２０と対向する横フレーム４および縦フレーム６の内側の取り付け面には、取付対象物２０を保持する保持力を向上させるために合成ゴム等の柔軟部材８，１０が取着されている。
【００２２】
また、基台２には、縦フレーム６と横フレーム４とが直交して接続する角部Ｐに、Ｙ字状の竿掛け部１２ａ，１２ａを有する二股状の釣竿保持部１２（図２も参照）が、回動支持部１５を介して鉛直方向（図１の矢印に示されるように横フレーム４および縦フレーム６の延在方向に沿う方向）に回動自在に取り付けられている。また、フレーム４，６に対する釣竿保持部１２の回動角度を段階的に調整でき且つその調整角度を維持できるように、回動支持部１５は角度調整手段としてのボールプランジャ機構を含んでいる。なお、釣竿保持部１２の回動角度は連続的に調整できても良い。
【００２３】
そのようなボールプランジャ機構の一例が図５に示されている。図示のように、このボールプランジャ機構は、回動支持部１５の周囲に位置される基台２の外面上に回動支持部１５の周方向に沿って所定の間隔で刻設された複数の切り欠き６５と、この切り欠き６５に係脱可能に係合するボール６２と、釣竿保持部１２側に形成された収容孔に配設されてボール６２を切り欠き６５と係合する方向に常時付勢するバネ６０とから成っている。この場合、ボール６２は、例えばバネ６０の端部に結合されている。したがって、この構成では、釣竿保持部１２を基台２に対して回動させると、ボール６２が切り欠き６５に対して順次に係脱することによりフレーム４，６に対する釣竿保持部１２の回動角度を段階的に調整できるとともに、その調整角度を維持することができる。
【００２４】
このような構成の釣竿支持装置１は、船縁や手摺（海釣り公園などの手摺）などの取付対象物２０に対して、状況に応じて、図１に示されるように、縦フレーム６を垂直に且つ横フレーム４を水平に位置させてクランプ部材１７を上下方向に締め付ける縦付け形態で取り付けることができ、あるいは、図３に示されるように、縦フレーム６を水平に且つ横フレーム４を垂直に位置させてクランプ部材１７を水平方向に締め付ける横付け形態で取り付けることができる。そして、その取り付け状態において、例えば図４に示されるような形態で、釣竿保持部１２に釣竿３０を保持させることができる。その場合、釣竿３０が立て掛けられる空間Ｓの状況（空間の広さや形態）や釣りの状況（例えば、仕掛けを交換する状況、または、船が移動している状況など）により、釣竿保持部１２をフレーム４，６に対して回動させて、安定した良好な保持状態で釣竿３０を保持できるようにする（図４の（ａ）は釣竿３０が釣竿保持部１２のＹ字状の竿掛け部１２ａに対して浅く掛けられた状態（釣竿保持部１２が垂直に起立された状態）、図４の（ｂ）は釣竿３０が釣竿保持部１２のＹ字状の竿掛け部１２ａに対して深く掛けられた状態（釣竿保持部１２が斜めに寝かせた状態）をそれぞれ示している）。
【００２５】
以上説明したように、本実施形態の釣竿支持装置１によれば、縦フレーム６と横フレーム４とが直交して接続する角部Ｐに対して釣竿保持部１２が鉛直方向に回動自在に取り付けられているため、釣竿保持部１２を回動させるだけで該釣竿保持部１２をいずれのフレーム４，６側領域にも位置させることができる。すなわち、縦フレーム６を垂直に且つ横フレーム４を水平に位置させてクランプ部材１７を上下方向に締め付ける縦付け形態で釣竿支持装置１を取付対象物２０に取り付ける場合には、例えば、釣竿保持部１２を、鉛直方向に方向付けられる鉛直位置と、その鉛直位置から縦フレーム６側へ向けて下方へ所定の角度だけ傾けられた位置との間で回動させることができ（図１参照）、一方、横フレーム４を垂直に且つ縦フレーム６を水平に位置させてクランプ部材１７を水平方向に締め付ける横付け形態で釣竿支持装置１を取付対象物２０に取り付ける場合には（図３参照）、例えば、釣竿保持部１２を、鉛直方向に方向付けられる鉛直位置と、その鉛直位置から横フレーム４側へ向けて下方へ所定の角度だけ傾けられた位置との間で回動させることができる（後述する図７参照）。したがって、クランプ部材１７を用いて取付対象物２０（２２）に対するフレーム４，６の取り付け方向を縦／横で変更しても、それに伴なう煩雑な部品間の組み替え作業（釣竿保持部１２を一方のフレームから取り外して他方のフレームに置き換えるなどの組み替え作業）を行なわないで済む（したがって、組み替えに伴なう部品の紛失も回避できる）。すなわち、部品間の組み替え作業を行なうことなく取付対象物２０（２２）に対するフレーム４，６の縦付け／横付けを簡単に切り換えることができる。これは、特に、図９に示される従来の構造とは異なり、釣竿保持部１２をその取り付け位置で縦付け形態および横付け形態の両方に共用できるように縦フレーム６と横フレーム４との角部Ｐに釣竿保持部１２が設けられていることにより可能となるものである。
【００２６】
また、本実施形態によれば、フレーム４，６に対する釣竿保持部１２の回動角度を調整できるため、取付対象物２０（２２）に対する基台２の取り付け状態や、釣竿３０の支持状況、あるいは、釣り状況（例えば、船の移動時や、仕掛け取付け時など）などに応じて良好な竿受け（竿保持）状態を実現できる。
【００２７】
図６および図７は本発明の第２の実施形態を示している。図示のように、本実施形態では、取付対象物２０と対向する横フレーム４および縦フレーム６の内側の取り付け面に円弧状の凹部４ａ，６ａが設けられており、また、その凹部４ａ，６ａには、取付対象物２０を保持する保持力を向上させるために合成ゴム等の柔軟部材８，１０が取着されている。
【００２８】
このような構成によれば、取付対象物２０と対向する横フレーム４および縦フレーム６の内側の取り付け面に円弧状の凹部４ａ，６ａが設けられているため、特に丸棒型または円柱状の手摺（海釣り公園などの手摺）などの断面が略円形の取付対象物２０に対する取り付け（縦付け状態が図６、横付け状態が図７にそれぞれ示されている）において、安定した強固な取り付け状態を実現できる。
【００２９】
なお、本発明は、前述した実施形態に限定されず、その要旨を逸脱しない範囲で種々変形して実施できることは言うまでもない。例えば、前述した実施形態では、クランプ部材１７が縦フレーム６に設けられているが、横フレーム４に設けられていても良い。また、他の有効な付属部品を各構成要素に設けることもできる。例えば、図８に示されるように、釣竿保持部１２に対して釣竿３０を保持させるための例えばバンド状の保持部材４０が釣竿保持部１２に設けられていても良い。この場合、保持部材４０は、Ｙ字状の竿掛け部１２ａ，１２ａの一方に取り付け固定され、これらの竿掛け部１２ａ，１２ａを跨ぐように釣竿３０（釣竿保持部１２に保持された釣竿３０）を外側から覆って他方側の竿掛け部１２ａの係止部４２に係脱可能に係止される。このような保持部材４０は、釣竿保持部１２からの釣竿３０の脱落（釣竿保持部１２から釣竿３０が外れること）を防止できるため有益である。また、図９に示されるように、保持部材４０は、竿掛け部１２ａ，１２ａのそれぞれに振り分けられて固着される一対の保持体４０ａ，４０ｂによって構成されても良い。この場合、保持体４０ａ，４０ｂは、例えばゴムなどの弾性部材から成るとともに、竿掛け部１２ａ，１２ａの内側に固着され、また、保持体４０ａ，４０ｂ間には竿３０を挿脱できる隙間７５が設けられる。また、前述した実施形態のボールプランジャ機構は、回動支持部１５の周囲に位置される基台２の外面上に設けられた切り欠き６５に対して釣竿保持部１２側からボール６２が付勢された構造となっているが、ボール６２の付勢方向、切り欠き６５の形成位置はこれに限定されない。回動支持部１５側や釣竿保持部１２側などに切り欠きが設けられ、その反対側からボールが付勢力によって切り欠きに押し付けられてもよく、要は、フレーム４，６に対する釣竿保持部１２の回動角度を段階的に調整でき且つその調整角度を維持できれば、そのための手段はどのようなものであっても構わない。
【符号の説明】
【００３０】
１  釣竿支持装置
２  基台
４  横フレーム
６  縦フレーム
１２  釣竿保持部
１７  クランプ部材
２０  取付対象物
６２  ボール（角度調整手段）
６５  切り欠き（角度調整手段）
Ｐ  角部
【図１】
2011092127.tif 000003
【図２】
2011092127.tif 000004
【図３】
2011092127.tif 000005
【図４】
2011092127.tif 000006
【図５】
2011092127.tif 000007
【図６】
2011092127.tif 000008
【図７】
2011092127.tif 000009
【図８】
2011092127.tif 000010
【図９】
2011092127.tif 000011
【図１０】
2011092127.tif 000012